(57)【特許請求の範囲】
【請求項１】
アンテナによって受信された信号を特定のチャンネルの中間周波信号に変換するチューナ部と、該チューナ部から得られる中間周波信号から映像信号及び音声信号を復調して出力する中間周波処理部とを具え、チューナ部にはＡＤコンバータが配備され、中間周波処理部には、中間周波信号の周波数を一定値に調整するための周波数調整回路と、中間周波信号の検波出力を得るためのゲイン制御回路とが配備され、前記周波数調整回路の出力端と前記ゲイン制御回路の出力端とは、切換え操作可能な切換え手段を介して前記ＡＤコンバータの入力端に接続されており、該ＡＤコンバータの出力端は双方向バスを介して外部のマイクロコンピュータと接続可能であることを特徴とするチューナモジュール用集積回路。
【請求項２】
前記チューナ部は、ＰＬＬ回路(５)が接続された局部発振回路(６)と、アンテナによって受信された信号に局部発振回路(６)から供給される局部発振周波信号を混合して出力するミキサー(４)とを具え、該ＰＬＬ回路(５)に前記ＡＤコンバータが内蔵されている請求項１に記載のチューナモジュール用集積回路。
【請求項３】
前記中間周波処理部は、チューナ部から得られる中間周波信号を増幅した後にベースバンドに周波数変換する中間周波処理回路(７)と、中間周波処理回路(７)の出力信号から音声信号と映像信号を検波して出力する音声検波回路(８)及び映像検波回路(９)とを具え、映像検波回路(９)の出力信号に基づいて前記ゲイン制御回路がゲイン制御信号を作成し、中間周波処理回路(７)へ供給する請求項１又は請求項２に記載のチューナモジュール用集積回路。
【請求項４】
映像検波回路(９)の出力信号に基づいて、前記周波数調整回路が周波数調整信号を作成して出力端子(16)から外部へ出力すると共に、前記ゲイン制御回路がゲイン制御信号を作成して出力端子(17)から外部へ出力する請求項３に記載のチューナモジュール用集積回路。
【発明の詳細な説明】
【０００１】
【発明の属する技術分野】
本発明は、テレビジョン受像機等に装備されるチューナに関し、特に、選局されたチャンネルの中間周波信号を作成するチューナ部と該中間周波信号から映像信号を復調する中間周波処理部とを１チップ化したチューナモジュール用集積回路に関するものである。
【０００２】
【従来の技術】
従来、テレビジョン受像機に装備されるチューナ回路は、図３に示す如くアンテナ(１)からＡＧＣアンプ(２)を経て供給される信号を中間周波信号に変換するためのチューナＩＣ(31)と、該チューナＩＣ(31)から得られる中間周波信号から映像信号及び音声信号を復調して出力するための中間周波処理ＩＣ(36)とから構成されている。
【０００３】
チューナＩＣ(31)には、ＰＬＬ回路(33)が接続された局部発振回路(35)と、アンテナ(１)からＡＧＣアンプ(２)を経て供給される信号に局部発振回路(35)から供給される局部発振周波信号を混合して出力するミキサー(32)とを具えている。又、該ＰＬＬ回路(33)には、ＡＤコンバータ(34)が内蔵されている。
尚、チューナＩＣ(31)には、ミキサー(32)の出力を増幅するＩＦアンプが装備され、該ＩＦアンプの出力端には弾性表面波フィルターが接続されて、該弾性表面波フィルターの出力が中間周波処理ＩＣ(36)へ供給されるが、これらの構成は図示省略している。
【０００４】
一方、中間周波処理ＩＣ(36)には、チューナＩＣ(31)から得られる中間周波信号(ＩＦ信号)を増幅してベースバンドに周波数変換する中間周波処理回路(37)と、中間周波処理回路(37)の出力信号から音声信号及び映像信号を検波する音声検波回路(38)及び映像検波回路(39)と、映像検波回路(39)の出力に基づいて自動周波数調整信号(ＡＦＴ(Auto Frequency Tuning)信号)を作成するＡＦＴ回路(40)と、映像検波回路(39)の出力に基づいて自動ゲイン制御信号(ＡＧＣ(Auto Gain Control)信号)を作成するＡＧＣ回路(41)とを具えている。
【０００５】
中間周波処理回路(37)は、チューナＩＣ(31)からのＩＦ信号を増幅するＡＧＣアンプ(48)と、電圧制御発振回路(50)と、電圧制御発振回路(50)からの発振信号とＡＧＣアンプ(48)からのＩＦ信号とを混合するミキサー(49)とを具えており、ＡＧＣ回路(41)から供給されるＩＦ＿ＡＧＣ信号がＡＧＣアンプ(48)へ供給されて、中間周波処理回路(37)のゲインの制御が行なわれる。
【０００６】
音声検波回路(38)及び映像検波回路(39)はそれぞれ音声信号出力端子(42)及び映像信号出力端子(43)に接続され、これらの端子から後段回路へＡＶ信号が出力される。又、ＡＦＴ回路(40)及びＡＧＣ回路(41)はそれぞれＡＦＴ信号出力端子(44)及びＡＧＣ信号出力端子(45)に接続され、これらの端子から外部回路へＡＦＴ信号及びＡＧＣ信号が出力される。
【０００７】
上述のチューナ回路をテレビジョン受像機に装備する場合、図３に示す接続形態又は図４に示す接続形態が採用される。
図３に示す接続形態においては、ＡＦＴ信号出力端子(44)がＰＬＬ回路(33)のＡＤコンバータ(34)の入力端子と外部接続されると共に、該ＰＬＬ回路(33)の出力端子が双方向バス(47)を介してマイクロコンピュータ(46)の入力ポートと外部接続される。又、ＡＧＣ信号出力端子(45)がＡＧＣアンプ(２)の制御端子と外部接続される。
【０００８】
該接続形態においては、例えば受信チャンネルのプリセット時に、ＡＦＴ信号出力端子(44)から得られるＡＦＴ信号が、ＰＬＬ回路(33)のＡＤコンバータ(34)によってＡＤ変換された後、双方向バス(47)を経てマイクロコンピュータ(46)へ供給される。これに応じてマイクロコンピュータ(46)は受信周波数を調整するための制御信号を作成し、ＰＬＬ回路(33)へ供給する。この結果、受信チャンネルの周波数が自動的に調整される。
又、ＡＧＣ信号出力端子(45)から得られるＲＦ＿ＡＧＣ信号は、ＡＧＣアンプ(２)へ供給されて、ＡＧＣアンプ(２)のゲインが制御される。
【０００９】
一方、図４は、ＡＧＣアンプ(２)の前段にブースター(21)が配備されている場合の接続形態を示しており、該接続形態においては、ＡＦＴ信号出力端子(44)がマイクロコンピュータ(46)の入力ポートと接続されると共に、該マイクロコンピュータ(46)の出力ポートが双方向バス(47)を介してＰＬＬ回路(33)の入力端子と接続される。又、ＡＧＣ信号出力端子(45)がＰＬＬ回路(33)のＡＤコンバータ(34)の入力端子と接続されると共に、ＡＧＣアンプ(２)の制御端子と接続される。更に、マイクロコンピュータ(46)の出力ポートがブースター(21)の制御端子と接続される。
【００１０】
該接続形態においては、例えば受信チャンネルのプリセット時に、ＡＦＴ信号出力端子(44)から得られるＡＦＴ信号はマイクロコンピュータ(46)へ供給され、マイクロコンピュータ(46)によってＡＤ変換された後、双方向バス(47)を経てＰＬＬ回路(33)へ供給される。この結果、受信チャンネルの周波数が自動的に調整される。
ＡＧＣ信号出力端子(45)から得られるＲＦ＿ＡＧＣ信号は、ＰＬＬ回路(33)のＡＤコンバータ(34)へ供給されて、ＡＤ変換された後、双方向バス(47)を経てマイクロコンピュータ(46)へ供給される。これに応じてマイクロコンピュータ(46)はブースター制御信号を作成し、ブースター(21)へ供給する。この結果、ブースター(21)が制御される。
【００１１】
【発明が解決しようとする課題】
しかしながら、従来のチューナＩＣ(31)及び中間周波処理ＩＣ(36)を具えたチューナ回路において、ＰＬＬ回路(33)のＡＤコンバータ(34)は、ＰＬＬ回路(33)の付加的機能な機能として装備されているものであって、１系統の信号を処理出来るに過ぎないため、ＡＦＴ信号出力端子(44)からのＡＦＴ信号をＡＤ変換する図３の接続形態と、ＡＧＣ信号出力端子(45)からのＡＧＣ信号をＡＤ変換する図４の接続形態の内、何れか一方を選択せざるを得ず、ユーザ(テレビジョン受像機メーカ)の要望に応じて何れか一方の接続形態で基板上に配線パターンを形成していた。
従って、ＡＦＴ信号出力端子(44)及びＡＧＣ信号出力端子(45)から伸びる配線パターンの引き回しが煩雑となり、チューナの大型化を招くばかりでなく、前記配線パターンの引き回しに伴って該配線パターンに不要な信号が重畳される問題があった。
【００１２】
近年、チューナＩＣ(31)と中間周波処理ＩＣ(36)を１チップ化したチューナモジュール用ＩＣが開発されているが、該チューナモジュール用ＩＣにおいても、ＡＦＴ回路(40)或いはＡＧＣ回路(41)とＰＬＬ回路(33)のＡＤコンバータ(34)との接続は、ユーザの要望に応じた配線パターンを基板上に形成することによって行なわれるので、該配線パターンの形成によってチューナ回路が大型化したり、該配線パターンに不要な信号が重畳されることによる問題があった。
【００１３】
そこで本発明の目的は、ＡＤコンバータを所望の目的で使用することが出来、然も配線パターンが複雑になることのないチューナモジュール用集積回路を提供することである。
【００１４】
【課題を解決する為の手段】
本発明に係るチューナモジュール用集積回路は、アンテナによって受信された信号を特定のチャンネルの中間周波信号に変換するチューナ部と、該チューナ部から得られる中間周波信号から映像信号及び音声信号を復調して出力する中間周波処理部とを具え、チューナ部にはＡＤコンバータ(13)が配備され、中間周波処理部には、中間周波信号の周波数を一定値に調整するためのＡＦＴ回路(10)と、中間周波信号の検波出力を得るためのＡＧＣ回路(11)とが配備されている。
ＡＦＴ回路(10)の出力端とＡＧＣ回路(11)の出力端とは、切換え操作可能な切換え手段を介してＡＤコンバータ(13)の入力端に接続されており、該ＡＤコンバータ(13)の出力端は双方向バス(20)を介して外部のマイクロコンピュータ(19)と接続可能である。
【００１５】
上記本発明のチューナモジュール用集積回路によれば、切換え手段の切換え操作によってＡＦＴ回路(10)の出力端をＡＤコンバータ(13)に内部接続し、或いはＡＧＣ回路(11)の出力端をＡＤコンバータ(13)に内部接続することが出来る。この切換え接続のために回路外部に配線パターンを形成する必要はない。
【００１６】
第１の接続形態として、切換え手段の切換えによってＡＦＴ回路(10)をＡＤコンバータ(13)に接続した場合、例えば受信周波数のプリセット時に、ＡＦＴ回路(10)から出力されるＡＦＴ信号は切換え手段を経てＡＤコンバータ(13)へ供給され、ＡＤ変換されたＡＦＴ信号は双方向バス(20)を経てマイクロコンピュータ(19)へ供給される。これに応じてマイクロコンピュータ(19)は受信周波数を調整するための制御信号を作成し、チューナ部へ供給する。この結果、受信チャンネルの周波数が自動的に調整される。
尚、ＡＧＣ回路(11)の出力端子(17)をＡＧＣアンプ(２)に外部接続すれば、ＡＧＣアンプ(２)のゲインを制御することが可能である。
【００１７】
これに対し、第２の接続形態として、切換え手段の切換えによってＡＧＣ回路(11)をＡＤコンバータ(13)に内部接続した場合、ＡＧＣ回路(11)から出力されるＡＧＣ信号が切換え手段を経てＡＤコンバータ(13)へ供給され、ＡＤ変換されたＡＧＣ信号が双方向バス(20)を経てマイクロコンピュータ(19)へ供給される。これに応じてマイクロコンピュータ(19)はブースター制御信号を作成し、ブースター(21)へ供給する。この結果、ブースター(21)が制御される。
尚、ＡＦＴ回路(10)の出力端子(16)をマイクロコンピュータ(19)に外部接続することによって、受信周波数のプリセット時に、マイクロコンピュータ(19)により受信周波数を調整するための制御信号を作成し、ＰＬＬ回路(33)へ供給することが可能である。この結果、受信チャンネルの周波数が自動的に調整される。
又、ＡＧＣ回路(11)の出力端子(17)をＡＧＣアンプ(２)に外部接続すれば、ＡＧＣ回路(11)から得られるＡＧＣ信号によってＡＧＣアンプ(２)のゲインを制御することが出来る。
【００１８】
【発明の効果】
本発明に係るチューナモジュール用集積回路によれば、切換え手段の操作によって、ＡＦＴ回路(10)からのＡＦＴ信号をＡＤコンバータ(13)へ供給する第１の接続形態と、ＡＧＣ回路(11)からのＡＧＣ信号をＡＤコンバータ(13)へ供給する第２の接続形態の内、何れか一方を選択することが出来るので、従来の如き複雑な配線パターンによる外部接続は不要となる。この結果、チューナの小型化が実現されると共に、配線パターンに不要な信号が重畳されることによる問題を解消することが出来る。
【００１９】
【発明の実施の形態】
以下、本発明の実施の形態につき、図面に沿って具体的に説明する。
図１は、本発明に係るチューナモジュール用ＩＣ(３)を採用したチューナ回路の構成を表わしており、アンテナ(１)によって受信された信号はＡＧＣアンプ(２)を経てチューナモジュール用ＩＣ(３)へ供給される。
【００２０】
チューナモジュール用ＩＣ(３)は、アンテナ(１)からＡＧＣアンプ(２)を経て供給される信号を中間周波信号(ＩＦ信号)に変換するためのチューナ部Ａと、該チューナ部から得られるＩＦ信号から映像信号及び音声信号を復調して出力するための中間周波処理部Ｂとを１チップ化したものである。
【００２１】
チューナ部Ａには、ＰＬＬ回路(５)が接続された局部発振回路(６)と、アンテナ(１)からＡＧＣアンプ(２)を経て供給される信号に局部発振回路(６)から供給される局部発振周波信号を混合して出力するミキサー(４)とを具えている。又、ＰＬＬ回路(５)には、ＡＤコンバータ(13)が内蔵されている。
尚、チューナ部Ａには、ミキサー(４)の出力を増幅するＩＦアンプが装備され、該ＩＦアンプの出力端には弾性表面波フィルターが接続されて、該弾性表面波フィルターの出力が中間周波処理部Ｂへ供給されるが、これらの構成は図示省略している。
【００２２】
一方、中間周波処理部Ｂには、チューナ部Ａから得られるＩＦ信号を増幅してベースバンドに周波数変換する中間周波処理回路(７)と、中間周波処理回路(７)の出力信号から音声信号及び映像信号を検波する音声検波回路(８)及び映像検波回路(９)と、映像検波回路(９)の出力に基づいてＡＦＴ信号を作成するＡＦＴ回路(10)と、映像検波回路(９)の出力に基づいてＡＧＣ信号を作成するＡＧＣ回路(11)とを具えている。
【００２３】
中間周波処理回路(７)は、チューナ部ＡからのＩＦ信号を増幅するＡＧＣアンプ(70)と、電圧制御発振回路(72)と、電圧制御発振回路(72)からの電圧制御発振信号とＡＧＣアンプ(70)からのＩＦ信号とを混合すミキサー(71)とを具えており、ＡＧＣ回路(11)から供給されるＩＦ＿ＡＧＣ信号がＡＧＣアンプ(70)へ供給されて、中間周波処理回路(７)のゲインの制御が行なわれる。
【００２４】
音声検波回路(８)及び映像検波回路(９)はそれぞれ音声信号出力端子(14)及び映像信号出力端子(15)に接続され、これらの端子から後段回路へＡＶ信号が出力される。又、ＡＦＴ回路(10)及びＡＧＣ回路(11)はそれぞれＡＦＴ信号出力端子(16)及びＡＧＣ信号出力端子(17)に接続され、これらの端子から外部回路へＡＦＴ信号及びＡＧＣ信号が出力される。
【００２５】
又、ＡＦＴ回路(10)の出力端とＡＧＣ回路(11)の出力端とは、半導体から構成される切換えスイッチ(12)の２つの入力端に内部接続され、該切換えスイッチ(12)の出力端がＰＬＬ回路(５)のＡＤコンバータ(13)に内部接続されている。
該切換えスイッチ(12)は、オン／オフスイッチ(18)の開閉操作に応じて２つの入力端子を切り換えて出力端子に接続するものである。
【００２６】
上述のチューナモジュール用ＩＣ(３)をテレビジョン受像機に装備する場合、実現すべき機能に応じて、図１に示す接続形態又は図２に示す接続形態が採用される。
図１に示す接続形態においては、オン／オフスイッチ(18)を閉じることによって切換えスイッチ(12)がＡＦＴ回路(10)側に切り換えられると共に、ＰＬＬ回路(５)が双方向バス(20)を介してマイクロコンピュータ(19)の入力ポートと外部接続される。又、ＡＧＣ信号出力端子(17)がＡＧＣアンプ(２)の制御端子と外部接続される。
【００２７】
該接続形態においては、例えば受信チャンネルのプリセット時に、ＡＦＴ回路(10)の出力端から得られるＡＦＴ信号は、切換えスイッチ(12)を経てＰＬＬ回路(５)のＡＤコンバータ(13)へ供給され、ＡＤコンバータ(13)によって３ビットのＡＦＴデータに変換された後、該ＡＦＴデータは双方向バス(20)を経てマイクロコンピュータ(19)へ供給される。これに応じてマイクロコンピュータ(19)は受信周波数を調整するための制御信号を作成し、ＰＬＬ回路(５)へ供給する。この結果、受信チャンネルの周波数が自動的に調整される。
又、ＡＧＣ信号出力端子(17)から出力されるＲＦ＿ＡＧＣ信号は、ＡＧＣアンプ(２)へ供給されて、ＡＧＣアンプ(２)のゲインが制御される。
【００２８】
一方、図２は、ＡＧＣアンプ(２)の前段にブースター(21)が配備されている場合の接続形態を示しており、該接続形態においては、オン／オフスイッチ(18)を開くことによって切換えスイッチ(12)がＡＧＣ回路(11)側に切り換えられる。又、ＡＦＴ信号出力端子(16)がマイクロコンピュータ(19)の入力ポートと接続されると共に、該マイクロコンピュータ(19)の出力ポートが双方向バス(20)を介してＰＬＬ回路(５)の入力端子と接続される。又、ＡＧＣ信号出力端子(17)がＡＧＣアンプ(２)の制御端子と接続される。更に、マイクロコンピュータ(19)の出力ポートがブースター(21)の制御端子と接続される。
【００２９】
該接続形態においては、例えば受信チャンネルのプリセット時に、ＡＦＴ回路(10)から得られるＡＦＴ信号がマイクロコンピュータ(19)へ供給されて、受信周波数を調整するための制御信号が作成され、該制御信号は双方向バス(20)を経てＰＬＬ回路(５)へ供給される。この結果、受信チャンネルの周波数が自動的に調整される。
ＡＧＣ回路(11)から得られるＲＦ＿ＡＧＣ信号は切換えスイッチ(12)を経てＰＬＬ回路(５)のＡＤコンバータ(13)へ供給され、ＡＤコンバータ(13)によって３ビットのＲＦ＿ＡＧＣデータに変換された後、該ＲＦ＿ＡＧＣデータが双方向バス(20)を経てマイクロコンピュータ(19)へ供給される。これに応じてマイクロコンピュータ(19)はブースター制御信号を作成し、ブースター(21)へ供給する。この結果、ブースター(21)が制御される。
又、ＡＧＣ信号出力端子(17)から出力されるＡＧＣ信号がＡＧＣアンプ(２)へ供給されて、ＡＧＣアンプ(２)のゲインが制御される。
【００３０】
上述の如く、本発明に係るチューナモジュール用ＩＣ(３)によれば、オン／オフスイッチ(18)の操作によって切換えスイッチ(12)を切り換えることにより、図１に示す如くＰＬＬ回路(33)のＡＤコンバータ(34)によってＡＦＴ信号をＡＤ変換する第１の接続形態と、図２に示す如くＰＬＬ回路(33)のＡＤコンバータ(34)によってＡＧＣ信号をＡＤ変換する第２の接続形態をとることが出来、この２つの接続形態の切換えに伴う配線パターンの変更は最小限で済む。
又、ブースター(21)の有無に応じた配線パターンの変更は、図２の如くＡＦＴ信号出力端子(16)をマイクロコンピュータ(19)に接続すると共に、マイクロコンピュータ(19)をブースター(21)に接続するだけでよい。
この結果、配線パターンの引き回しは最小限に抑えられ、これによってチューナの小型化が実現されると共に、配線パターンに不要な信号が重畳されることによる問題は解消される。
【図面の簡単な説明】
【図１】本発明に係るチューナモジュール用ＩＣを用いたチューナの第１の接続形態を示すブロック図である。
【図２】本発明に係るチューナモジュール用ＩＣを用いたチューナの第２の接続形態を示すブロック図である。
【図３】従来のチューナＩＣ及び中間周波処理ＩＣを用いたチューナの第１の接続形態を示すブロック図である。
【図４】従来のチューナＩＣ及び中間周波処理ＩＣを用いたチューナの第２の接続形態を示すブロック図である。
【符号の説明】
(１)  アンテナ
(２)  ＡＧＣアンプ
(３)  チューナモジュール用ＩＣ
(４)  ミキサー
(５)  ＰＬＬ回路
(６)  局部発振回路
(７)  中間周波処理回路
(８)  音声検波回路
(９)  映像検波回路
(10)  ＡＦＴ回路
(11)  ＡＧＣ回路
(12)  切換えスイッチ
(13)  ＡＤコンバータ
(14)  音声信号出力端子
(15)  映像信号出力端子
(16)  ＡＦＴ信号出力端子
(17)  ＡＧＣ信号出力端子
(18)  オン／オフスイッチ
(19)  マイクロコンピュータ
(20)  双方向バス
(21)  ブースター
【図１】
0003883876.tif 000002
【図２】
0003883876.tif 000003
【図３】
0003883876.tif 000004
【図４】
0003883876.tif 000005